(57)【要約】  【課題】  固定板と押え板との間に弾性部材を介して挾持されて回転する回転板の回転抵抗を、組み立て時及び組み立て後に簡易に調節することができるようにする。【解決手段】  固定板２と押え板３との間に、固定板２上の板ばね５と両側の滑り板６，６とを介して挾持された回転板４を備え、板ばね５による弾性力の付与下にて滑り板６，６との摩擦による回転抵抗を伴って回転するように構成する。押え板３の内周側に一体に取付けたカムホルダ31の内部に、同軸上での回転により軸長方向に移動するカム筒７を取付け、このカム筒７に周設された押し上げフランジ71を板ばね５内周のカム作用部50に当接させ、カム筒７の軸長方向の移動により板ばね５の弾性力が増減せしめられるように構成する。【選択図】      図１
2005106847.tif 000002
【特許請求の範囲】
【請求項１】
固定板と該固定板に支持された押え板との間に弾性部材を介して挾持され、該弾性部材の弾性力による押し付け下での回転抵抗を伴って前記固定板及び押え板に対して相対回転する回転板を備え、該回転板及び前記固定板に夫々取付けられた２つの物品を相対回転可能に連結する回転連結ユニットにおいて、
前記固定板又は押え板の外側からの操作により前記弾性部材の弾性力を変更し、前記回転板の回転抵抗を増減調節する調節手段を備えることを特徴とする回転連結ユニット。
【請求項２】
前記弾性部材は、
前記固定板又は押え板と前記回転板との間に積層配置された板ばねである請求項１記載の回転連結ユニット。
【請求項３】
前記調節手段は、
前記固定板又は押え板の一部に取付けてあり、該固定板又は押え板と同軸上での回転に応じて軸長方向に移動し、前記弾性部材に作用するカム部材を備える請求項１又は請求項２記載の回転連結ユニット
【請求項４】
前記カム部材に一端を固定され、前記固定板又は押え板の外側に延設された他端の操作により前記カム部材に回転操作力を加える操作レバーを備える請求項３記載の回転連結ユニット。
【請求項５】
前記操作レバーは、前記固定板に取り付けられた物品の一部との係合により操作位置を固定する係合手段を備える請求項４記載の回転連結ユニット
【請求項６】
撮像部と、該撮像部により撮像された画像を記録する記録部とを備え、少なくとも前記撮像部を内蔵するハウジングと、少なくとも前記記録部を内蔵するハウジングとを、両ハウジング間に介装された請求項１乃至請求項４のいずれか１つに記載の回転連結ユニットにより連結してあることを特徴とする撮像装置。
【発明の詳細な説明】
【技術分野】
【０００１】
本発明は、２つの物品の間に介装されて、これらの物品を相対回転可能に連結すべく用いられる回転連結ユニット、及びこの回転連結ユニットを備える撮像装置に関する。
【背景技術】
【０００２】
例えば、レンズ、焦点調節機構及び撮像素子を含む撮像部、録画ヘッド、再生ヘッド及びテープ駆動機構を含む記録部、バッテリ及び電源回路を含む電源部、並びに、液晶表示パネル等を用いてなるモニタ表示部等の複数の機能部を備えて構成されるカメラ一体型ＶＴＲ、所謂ビデオカメラにおいては、少なくとも記録部を内蔵する主機ハウジングと、少なくとも撮像部を内蔵する補機ハウジングとを別体に構成し、これらのハウジングを、夫々の一面を合わせ、合わせ面内での相対回転が可能となるように連結して、グリップを兼ねる主機ハウジングを把持して行われる撮像中に、この主機ハウジングに対して補機ハウジングを相対回転させることにより、該補機ハウジングに備えられた撮像部、特に、レンズの向きを自在に変更して撮像可能範囲を拡げ、使い勝手の向上を図った製品が実用化されている（例えば、特許文献１参照）。
【０００３】
このビデオカメラにおいて、主機ハウジングと補機ハウジングとを相対回転可能に連結する回転連結ユニットは、特許文献１の図４に示されているように、固定板の一面にスペーサを介して取付けられた押え板を備え、これらの固定板と押え板との対向面間に、弾性部材としての板ばねを介して回転板を挾持し、該回転板が、押え板と板ばねとの間での滑りを伴って固定板に対して相対回転するように構成されており、固定板を主機ハウジングに、回転板を補機ハウジングに夫々固定して用いられている。
【０００４】
なお実際には、固定板に対する回転板の相対回転をより滑らかに行わせるべく、回転板の上下に、低摩擦係数を有する樹脂製の滑り板を配し、これらの滑り板と押え板及び板ばねとが当接するようにして、前記回転板が、板ばねの弾性力による押し付け下にて前記滑り板との間に生じる摩擦抵抗に抗して回転するようにしている。
【特許文献１】特開平６−９８２１０号公報
【発明の開示】
【発明が解決しようとする課題】
【０００５】
さて、以上の如き回転連結ユニットにより連結されたビデオカメラの主機ハウジングと補機ハウジングとは、撮像の前後又は撮像中に、使用者により加えられる所定の回転力の作用下にて滑らかに相対回転させ得ることが要求され、この要求に応えるためには、相対回転に際しての回転抵抗、即ち、回転板と両側の滑り板との間の摩擦抵抗を精度良く管理して組み立てがなされる必要がある。
【０００６】
ところが、回転板を挾持する固定板と押え板とは、両者間に介装されたスペーサにより所定の隙間を隔てて一体化されており、このスペーサは、加工工数を削減し、軽量化を図ることを目的として樹脂成形品とされるため、回転板を挾持する固定板と押え板との対向面間に成形に伴う寸法誤差が存在し、また、滑り板及び回転板の板厚にも公差範囲内の寸法誤差が存在する上、固定板と回転板との間に介装される板ばねのばね力にも固体差が存在するため、前述した摩擦抵抗の大きさにバラ付きが生じ、回転板の回転抵抗が適正値から外れた組み立て不良品の発生が避けられないという問題があった。
【０００７】
このような組み立て不良品が発生した場合、従来においては、押え板を取り外し、回転板、滑り板及び板ばねの組み合わせを変えて再度の組み立てを行って対応しており、これによる組み立て工数の増加が、製品コストの低下を妨げる一因となっている。
【０００８】
また、前述したビデオカメラにおいては、主機ハウジングに対して補機ハウジングを相対回転させる際の回転抵抗を、使用者が好みに合わせて変更することが要求される場合があり、従来の回転連結ユニットにおいては、このような要求に応えることはできない。
【０００９】
なお、以上の構成を有する回転連結ユニットは、ビデオカメラに限らず、デジタススチルカメラ等の撮像装置においても全く同様に適用することができ、更には、撮像装置以外の各種の機器においても、前記主機ハウジング及び補機ハウジングのような２つの対象物品を合わせ面内での相対回転が可能に連結する用途に広く適用することができるが、これらの用途に用いられる回転連結ユニットにおいても前述した問題は発生する。
【００１０】
本発明は斯かる事情に鑑みてなされたものであり、固定板と押え板との間に弾性部材を介して挾持され、この弾性部材の弾性力の付与下にて固定板に対して相対回転する回転板の回転抵抗を、組み立て時及び組み立て後に簡易に調節することができ、組み立て工数の削減及び製品コストの低減に寄与し得ると共に、使用者の好みに応じた回転抵抗の調節が可能である回転連結ユニットを提供し、またこの回転連結ユニットを用いることにより使い勝手の良好な撮像装置を提供することを目的とする。
【課題を解決するための手段】
【００１１】
本発明に係る回転連結ユニットは、固定板と該固定板に支持された押え板との間に弾性部材を介して挾持され、該弾性部材の弾性力による押し付け下での回転抵抗を伴って前記固定板及び押え板に対して相対回転する回転板を備え、該回転板及び前記固定板に夫々取付けられた２つの物品を相対回転可能に連結する回転連結ユニットにおいて、前記固定板又は押え板の外側からの操作により前記弾性部材の弾性力を変更し、前記回転板の回転抵抗を増減調節する調節手段を備えることを特徴とする。
【００１２】
本発明においては、固定板と押え板との間に弾性部材を介して回転板を挾持した組み立て状態において、固定板又は押え板の外側からの調節手段の操作により弾性部材の弾性力を変更し、この弾性力による押し付け下にて生じる回転板の回転抵抗を、組み立て直しを強いることなく簡易に増減調節する。また調節手段を物品への取付け後にも操作可能に設けることにより、使用者の好みに応じた回転抵抗の調節が可能となる。
【００１３】
また本発明に係る回転連結ユニットは、前記弾性部材が、前記固定板又は押え板と前記回転板との間に積層配置された板ばねであることを特徴とする。
【００１４】
この発明においては、回転板の弾性力を加える弾性部材を、固定板と回転板との間、又は押え板と回転板との間に積層配置された板ばねとして組み立てを容易化する。
【００１５】
また本発明に係る回転連結ユニットは、前記調節手段が、前記固定板又は押え板の一部に取付けてあり、該固定板又は押え板と同軸上での回転に応じて軸長方向に移動し、前記弾性部材に作用するカム部材を備えることを特徴とし、また前記カム部材に一端を固定され、前記固定板又は押え板の外側に延設された他端の操作により前記カム部材に回転操作力を加える操作レバーを備えることを特徴とし、更に、前記操作レバーが、前記固定板に取り付けられた物品の一部との係合により操作位置を固定する係合手段を備えることを特徴とする。
【００１６】
この発明においては、固定板又は押え板と同軸上にて回転し、この回転に応じて軸長方向に移動するカム部材が、弾性部材の弾性力を変更すべく作用する。このようなカム部材の回転操作は、例えば、カム部材に一端を固定された操作レバーの他端を押え板又は固定板の外側に延設し、この延設端を操作することにより簡易に実現でき、回転板の回転抵抗の調節を容易に行わせることができる。また前記操作レバーに固定板に取り付けられる物品の一部と係合させる係合手段を備えることにより、操作レバーの操作位置を適宜に固定して、調節後の回転抵抗を確実に維持する。
【００１７】
また本発明に係る撮像装置は、撮像部と、該撮像部により撮像された画像を記録する記録部とを備え、少なくとも前記撮像部を内蔵するハウジングと、少なくとも前記記録部を内蔵するハウジングとを、両ハウジング間に介装された前述した回転連結ユニットにより連結してあることを特徴とする。
【００１８】
この発明においては、撮像部を内蔵するハウジング（主機ハウジング）と記録部を内蔵するハウジング（補機ハウジング）との連結に前述した回転連結ユニットを用いることにより、主機ハウジングと補機ハウジングとを適度な回転抵抗下にて安定して相対回転させ得るようにし、更に操作レバーの操作により、使用者の好みに合わせた回転抵抗の調節を可能とする。
【発明の効果】
【００１９】
本発明に係る回転連結ユニットにおいては、固定板又は押え板の外側からの調節手段の操作により、弾性部材の弾性力を変更可能としたから、該弾性部材による押し付け下にて生じる回転板の回転抵抗を増減調節することができ、適正な回転抵抗下での回転板の滑らかな相対回転を、組み立て工数を増すことなく簡易に実現することが可能となって、組み立て工数の削減、及び製品コストの低減が達成される。
【００２０】
また、回転板に押し付け力を加える弾性部材を板ばねとし、固定板又は押え板と回転板との間に積層配置したから、弾性部材の組み付けが、前記固定板、回転板及び押え板の組み立て過程において、これらと共に簡易に実施できる。
【００２１】
また、固定板又は押え板と同軸上にて回転するカム部材を備えて調節手段を構成したから、簡素な構成により確実な回転抵抗の増減調節が可能となり、このカム部材を回転操作すべく操作レバーを取付けたから、物品への組み付け後においても使用者の好みに応じた回転抵抗の増減調節が可能となり、更に、この操作レバーを係止する係止手段を備えたから、調節された回転抵抗を維持することができる。
【００２２】
更に本発明に係る撮像装置においては、以上の如く回転抵抗の増減調節が可能な回転連結ユニットにより主機ハウジングと補機ハウジングとを連結したから、両ハウジングを適度な回転抵抗下にて相対回転させることができ、使い勝手の向上を図ることができる等、本発明は優れた効果を奏する。
【発明を実施するための最良の形態】
【００２３】
以下本発明をその実施の形態を示す図面に基づいて詳述する。図１は、本発明に係る回転連結ユニットの要部の構成を示す断面図、図２は、図１に示す回転連結ユニットの分解斜視図である。本発明に係る回転連結ユニット１は、図示の如く、固定板２、押え板３及び回転板４を備え、更に、弾性部材としての板ばね５及び２枚の滑り板６，６を備えて構成されている。
【００２４】
図２に示す如く固定板２、押え板３及び回転板４は、夫々の中央部に表裏に貫通形成された中抜き孔を備える金属製の中抜き円板である。固定板２の一面には、複数（図においては４つ）のスペーサ筒20，20…が、所定の円周上に等配をなして立設されている。これらのスペーサ筒20，20…は、樹脂製の円筒体であり、夫々の軸心部には、内面に雌ねじが形成されたねじ孔21，21…が貫通形成されている。
【００２５】
押え板３には、固定板２のスペーサ筒20，20…の夫々と同軸上にて整合する位置に、表裏に貫通する止め孔30，30…が形成されており、このような押え板３の内周側には、カムホルダ31が一体に取付けられている。
【００２６】
図３は、カムホルダ31の外観斜視図である。本図に示す如くカムホルダ31は、樹脂製の厚肉円板であり、その一面の外周側には、他部よりも段落ちされた受け座32が設けてある。このようなカムホルダ31の取付けは、押え板３の中抜き孔を受け座32の内周側の段部に嵌め込み、前記中抜き孔の周縁部を適幅に亘って受け座32の表面に支持し、ねじ止め、かしめ止め等の適宜の手段により一体化せしめてなされている。
【００２７】
更にカムホルダ31の軸心部には、表裏に貫通するカム孔33が形成されている。該カム孔33の内面には、図３に示す如く、周方向の所定の角度範囲に亘って軸長方向に緩い角度にて傾斜するカム溝34が形成されており、このカム孔33には、図１に示す如く、カム部材としての円筒形をなすカム筒７が内嵌保持されている。
【００２８】
カム筒７は、図２に示す如く、外周面の一箇所に径方向外向きに突出するカム突起70を備えており、このカム筒７のカム孔33への内嵌は、図１に示す如く、前者のカム突起70を後者のカム溝34に係合せしめてなされている。このときカムホルダ31の一側に突出するカム筒７の外周には、押し上げフランジ71が周設されており、突出端部には、径方向外向きに延びる操作レバー８が取付けられている。
【００２９】
図４は、カム筒７の動作説明図であり、カム孔33の内面に設けられたカム溝34を直線展開し、２点鎖線により示してある。前述の如くカム孔33に内嵌保持されたカム筒７は、押え板３の一部をなすカムホルダ31の内側において同軸上にて回転することができる。この回転は、カム溝34に係合するカム突起70の案内下にて生じ、該カム溝34は、カム孔33の内面に前述した傾斜を有して形成されているかた、カム筒７は、前記回転に応じて図４中に矢符にて示す如く移動する間に、カム溝34の傾斜に沿って上下方向、即ち、カムホルダ31の軸長方向に移動することとなる。
【００３０】
板ばね５は、ばね鋼等の高弾性係数を有する金属材料からなる中抜き円板であり、中央部を貫通する中抜き孔の周辺部分に、他部よりも段上げされた適幅のカム作用部50が設けられ、また外周縁の内側部分に、同じく他部よりも段上げされた押圧作用部51が設けられている。カム作用部50と押圧作用部52との間の平坦部には、固定板２のスペーサ筒20，20…の夫々と同軸上にて整合する位置に、これらのスペーサ筒20，20…の挿通が可能な貫通孔52，52…が形成されている。
【００３１】
また滑り板６，６は、ＰＴＦＥ（テフロン（登録商標））等の低摩擦係数を有する樹脂材料製のシート材を、回転板４の内周部に適幅に亘って当接可能な幅を有する環状に裁断して構成されており、回転板４の両面に後述の如く介装して用いられる。
【００３２】
以上の如き構成部材を備える回転連結ユニット１の組み立て手順について説明する。まず、固定板２の上部に板ばね５を、スペーサ筒20，20…の夫々を板ばね５の貫通孔52，52…に差し込みつつ重ねる。次に回転板４を、内周部の上下に重ねた滑り板６，６と共に、板ばね５の外周側の押圧作用部51上に載置し、更に、これらの上部に押え板３を、止め孔30，30…の夫々が固定板２に突設されたスペーサ筒20，20…に整合するように重ね、各止め孔30，30…に挿通された止めねじ22，22…をスペーサ筒20，20…の上端のねじ孔21，21…に締め付け固定する。最後にカム筒７を、押え板３の内周側に固定されたカムホルダ31に前述の如く内嵌保持させて、図１に示す如く回転連結ユニット１が構成される。なお図１には、中心軸の一側半部のみが示されている。
【００３３】
これにより押え板３は、スペーサ筒20，20…の高さに対応する間隔を隔てて固定板２の上面に対向した状態で一体化され、回転板４は、押え板３の周縁部下面と板ばね５の押圧作用部51との間に、上下の滑り板６，６を介して挾持された状態となり、このように挾持された回転板４は、滑り板６，６との間での滑りを伴って固定板２及び押え板３と平行をなす面内にて相対回転することができる。
【００３４】
このとき回転板４には、上下の滑り板６，６との間の摩擦が回転抵抗として加わる。この回転抵抗の大小は、板ばね５の押圧作用部51により下部から加えられる弾性力の大小に対応する。一方このとき、板ばね５の内周縁のカム作用部50は、固定板２の内周側に適長突出し、前述の如く取付けられたカム筒７の外周の押し上げフランジ71に当接している。前述の如くカム筒７は、カムホルダ31内での回転により軸長方向に移動することができ、この移動が、押え板３の側に向けて生じた場合、板ばね５のカム作用部50は、押し上げフランジ71を介して同向きに押される。本発明に係る回転連結ユニット１においては、このようなカム筒７の移動により回転板４の回転抵抗を増減調節することができる。
【００３５】
図５は、回転抵抗の増減調節動作の説明図であり、カム筒７により板ばね５が押し上げられた状態が示されている。内周側のカム作用部50の押し上げにより板ばね５は、固定板２への外周縁の当接部（図５中のＡ部）を支点として変形し、この支点よりも内側に位置する押圧作用部51が押え板３に近付き、図５中に白抜矢符にて示す如く回転板４に加えられる弾性力は大きくなり、該回転板４の回転抵抗は増大する。逆に、固定板２の側に近付く向きにカム筒７が移動した場合、板ばね５により回転板４に加えられる弾性力は小さくなり、該回転板４の回転抵抗は減少する。
【００３６】
カム筒７は、押え板３と一体化されたカムホルダ31内での回転操作により軸長方向両向きに移動させることができ、このような回転操作は、カム筒７から突設され、固定板２の一面に沿って延びる操作レバー８の操作により実施することができる。従って本発明に係る回転連結ユニット１においては、止めねじ22，22…の締め付けにより固定板２と押え板３とを一体化せしめた後、回転板４を回転操作して回転抵抗の適否を調べ、この回転抵抗が、例えば、各部の寸法誤差の影響により適正範囲内に収まらなかった場合、固定板２の外側に位置する操作レバー８の操作によりカム筒７を回転させ、前記回転板４の回転抵抗を増減調節することができ、再組み立てを強いることなく適正な回転抵抗を簡易に実現することができる。
【００３７】
このように調節された回転抵抗は、操作レバー８又はカム筒７の回転位置を適宜の手段にて拘束することにより維持され、このような回転抵抗の調節を含めて構成された本発明に係る回転連結ユニット１においては、固定板２と回転板４とを、所望の回転抵抗の付与下にて相対回転させることができる。
【００３８】
なお以上の実施の形態においては、押え板３の一部（カムホルダ31）にカム部材としてのカム筒７を取付けた構成について述べたが、固定板２の一部にカム部材を取り付けることも可能であり、同様の作用効果が得られることは言うまでもない。
【００３９】
また以上の実施の形態においては、弾性部材として板ばね５を備える構成について述べたが、板ばね５に代わる弾性部材として、コイルばね等の他のばね部材、又はゴム板等の弾性材料製の板材を用いることもできる。なお、弾性部材として板ばね５を用いた場合、実施の形態に示す如く、固定板２と押え板３との間に積層配置し、その一部をカム筒７に直接的に当接させて弾性力を変更することが可能であり、簡素な構成にて目的を達成することが可能である。
【００４０】
図６は、本発明に係る回転連結ユニット１の適用例を示す図である。本図には、ビデオカメラ９への適用例が示されている。このビデオカメラ９は、録画ヘッド、再生ヘッド及びテープ駆動機構を含む記録部を内蔵し、グリップを兼ねる主機ハウジング90と、レンズ92、焦点調節機構及び撮像素子を含む撮像部を内蔵する補機ハウジング91とを備え、主機ハウジング90と補機ハウジング91とを、夫々の一面を合わせ、この合わせ面間に介装された本発明に係る回転連結ユニット１（図中に破線により示す）により連結して構成されている。なお補機ハウジング91には、液晶表示パネル等を用いてなるモニタ表示部93が、一側のヒンジ回りでの回転により開閉自在に取付けてある。
【００４１】
図１には、主機ハウジング90及び補機ハウジング91の一部が図示されており、回転連結ユニット１は、主機ハウジング90を固定板２に取付け、補機ハウジング91を回転板４に取り付けて用いられている。このような取付けがなされた主機ハウジング90と補機ハウジング91とは、固定板２と回転板４との相対回転を伴って両者の合わせ面内にて相対回転することができ、主機ハウジング90を把持して行われる撮像中に、図６（ｂ）に示す如く補機ハウジング91を相対回転させ、該補機ハウジング91に備えられたレンズ92及びモニタ表示部93の位置及び傾きを自在に変更することが可能となる。このとき、補機ハウジング91の回転操作は、前述の如く適正に調整された回転板４の回転抵抗の付与下にて滑らか実施でき、良好な使用感を使用者に体感させることができる。
【００４２】
このように取り付けられる回転連結ユニット１において、カム筒７から前述の突設された操作レバー８は、図１に示す如く、主機ハウジング90の周壁に形成されたガイド孔94を通して表面側に導出し、図６（ａ）に示す如く、補機ハウジング91との対向面の間から先端を突出させて、この先端部の揺動操作が可能に配設することができる。ガイド孔94は、図６中に破線にて示す如く、回転連結ユニット１と同心の円弧形の長孔として形成してあり、操作レバー８は、このガイド孔94の長さ範囲内にて揺動操作することができ、この揺動範囲内にて生じるカム筒７の回転により、回転板４の回転抵抗、即ち、補機ハウジング91を回転させる際の回転抵抗を増減調節することが可能である。
【００４３】
図７は、操作レバー８の先端部近傍の拡大図である。操作レバー８の主機ハウジング90との対向面には、図中に破線にて示す如く、主機ハウジング90に向けて突設された係合突起80が形成され、また主機ハウジング90の操作レバー８との対向面には、係合突起80の揺動軌跡に沿って複数の凹所95，95…が形成されており、回転抵抗の調節のために揺動操作される操作レバー８の操作位置は、前記凹所95，95…のいずれかと係合突起80の係合により段階的に拘束させ得るようになしてある。
【００４４】
このような構成により使用者は、操作レバー８を操作することにより、主機ハウジング90と補機ハウジング91との相対回転時の回転抵抗を、自身の好みに合わせて複数段階に変更することが可能となり、使い勝手の更なる向上を図ることができる。操作レバー８の揺動位置を拘束するための係合手段は、図７に示す係合突起80及び凹所95，95…に限らず、操作レバー８と主機ハウジング90との対向面間にて適宜の構成にて実現することが可能である。また前記係合手段は、固定板２と操作レバー８との間、カム筒７とカムホルダ31との嵌合部間等、回転連結ユニット１内にて完結する態様にて構成することもできる。
【００４５】
なお本発明に係る回転連結ユニット１は、図６に示すビデオカメラ９に限らず、デジタススチルカメラ等の撮像装置においても、記録部を内蔵するハウジングと撮像部を内蔵するハウジングとを相対回転可能に連結すべく全く同様に用いることができ、更には、撮像装置以外の各種の機器において、前記主機ハウジング及び補機ハウジングのような２つの対象物品を相対回転可能に連結する用途全般に適用することが可能であり、このような用途においても同様の効果が得られることは言うまでもない。
【図面の簡単な説明】
【００４６】
【図１】本発明に係る回転連結ユニットの要部の構成を示す断面図である。
【図２】図１に示す回転連結ユニットの分解斜視図である。
【図３】カムホルダの外観斜視図である。
【図４】カム筒の動作説明図である。
【図５】回転抵抗の増減調節動作の説明図である。
【図６】本発明に係る回転連結ユニットの適用例を示す図である。
【図７】図６に示す適用例における操作レバーの先端部近傍の拡大図である。
【符号の説明】
【００４７】
１    回転連結ユニット
２    固定板
３    押え板
４    回転板
５    板ばね
６    滑り板
７    カム筒
８    操作レバー
９    ビデオカメラ                                                              31    カムホルダ
34    カム溝
70    カム突起
80    係合突起
90    主機ハウジング
91    補機ハウジング
95    凹所
【図１】
2005106847.tif 000003
【図２】
2005106847.tif 000004
【図３】
2005106847.tif 000005
【図４】
2005106847.tif 000006
【図５】
2005106847.tif 000007
【図６】
2005106847.tif 000008
【図７】
2005106847.tif 000009